(57)【特許請求の範囲】
【請求項１】
複数のスレーブ記録機のそれぞれに備えられており、回転ドラム上の特定位置を位相基準位置とした場合に、前記位相基準位置からそれぞれ所定の角度間隔離間しかつ互いに対向するように配置されてある２つのヘッドからなる１組のヘッドが複数組、前記回転ドラム上にそれぞれ配置されており、ダビングの際に指定されている記録モードに応じて前記複数組のうちの１組又は複数組のヘッドを選択して、この選択された前記１組又は複数組のヘッドを前記位相基準位置で交互に切換えることにより、マスターサーバから供給されるストリームデータを記録媒体にダビングする記録手段と、
前記複数のスレーブ記録機の前段に配置されており、前記記録モードに応じて選択されている前記１組又は複数組のヘッドに対して供給される前記ストリームデータを、当該ヘッドが前記位相基準位置から離間した角度間隔分だけ遅延して、前記複数のスレーブ記録機側へ出力する遅延手段とを備えたディストリビューションアンプとを有し、
前記ディストリビューションアンプから前記複数のスレーブ機に供給されるダビングデータはストリームデータ及びパリティデータから構成され、各前記スレーブ記録機にストリームデータの伝送状態をチェックする機能をそれぞれ有することを特徴とするデジタル方式のダビングシステム。
【発明の詳細な説明】
【０００１】
【発明の属する技術分野】
本発明は、マスタテープをダビングして多数のスレーブテープを作成するダビングシステムに関する。
【０００２】
【従来の技術】
図１４は従来のダビングシステムのブロック図、図１５はスレーブ記録機に搭載されている回転ヘッドのヘッド取付状態を示す図、図１６はダビング時に回転ヘッドに供給される記録信号のタイミングチャートである。
【０００３】
従来のアナログ方式のダビングシステムは、図１４に示すように、マスタ（Master）ビデオテープレコーダ（以下「マスタＶＴＲ」と記す）１、ビデオ（Video）分配器(１)２、オーディオ（Audio）分配器(１)３、Video分配器(２)４、Audio分配器(２)５、スレーブ記録機６１〜６ｎ（ｎは正数）、信号チェックシステム７１〜７４、スレーブコントローラ（Slave Controller）８、ラインコントローラ（Line Controller）９、システムコントローラ（System Controller）１０、カードリーダ（Card Reader）１１を備えている。
【０００４】
次に、前記した構成を備えた従来のアナログ方式のダビングシステムのダビング動作について説明する。
マスタＶＴＲ１にてマスタテープを再生して得たアナログ信号（２チャンネルＣＨ１，ＣＨ２のビデオ信号及びオーディオ信号）は、ビデオ分配器２、オーディオ分配器３にそれぞれ供給されて、ラインの数に対して分配された後に、次段のビデオ分配器４、オーディオ分配器５にそれぞれ供給される。このビデオ分配器４、オーディオ分配器５は、供給された２チャンネルのビデオ信号とオーディオ信号とを多数のスレーブ記録機６１〜６ｎにそれぞれ分配する。
【０００５】
この信号の分配に基づいて、スレーブ記録機６１〜６ｎはそれぞれ磁気テープ（スレーブテープ）にダビングを行って、ダビングテープを作製する。こうした一連のダビング動作を行うための全体のシステム制御やライン制御やスレーブ記録機６１〜６ｎに対する制御信号は、前記した信号系統とは別系統で伝送される。
【０００６】
こうして多数のダビングテープ（スレーブテープ）を作成する際には、マスタＶＴＲ１は前記したダビングが終了する毎にマスタテープを巻き戻して頭出しを行い、再び、再生動作を行うという一連の動作を必要回数繰り返すこととなる。また、信号チェックシステム７１〜７４は、ビデオ分配器２、ビデオ分配器４、オーディオ分配器３、オーディオ分配器５のそれぞれの入出力側のチェックに必要であるから複数台必要となる。
【０００７】
ここで、スレーブ記録機６１〜６ｎにそれぞれ搭載されている回転ヘッドＨには、図１５に示すように、回転ドラムｄに所定の角度間隔をもって互いに対向した４つのヘッドｈ１〜ｈ４が取り付けられている。また、この４つのヘッドｈ１〜ｈ４の取り付け状態は、図１６に示すように、回転ドラムｄの回転数を検出した検出パルスにより生成されるＤ−ＦＦ信号に同期して、前記したビデオ信号及びオーディオ信号（Ｄａｔａ）が１フレーム単位で順次記録可能とするようにされている。
【０００８】
具体的には、ＶＨＳ方式でビデオ信号を記録する場合には、１組のヘッド（ＶＨＳ）ｈ１，ｈ２（１ｃｈ，２ｃｈ）をそれぞれ、前記Ｄ−ＦＦ信号の１／２周期で切換えて行われ、またオーディオ信号を記録する場合には、１組のヘッド（ＨｉＦｉ）ｈ３，ｈ４（１ｃｈ，２ｃｈ）をそれぞれ、前記Ｄ−ＦＦ信号の１／２周期で切換えて行われる。
また、前記したビデオ分配器２，４、オーディオ分配器３，５は、ゲイン調整機能をそれぞれ有するだけで、通過するビデオ信号やオーディオ信号の位相調整などは行わずに、単に複数分配機能を備えるだけである。
【０００９】
【発明が解決しようとする課題】
さて、前述したアナログ方式に代わるデジタル方式のダビングシステムの場合には、多数のスレーブ記録機にそれぞれ搭載された回転ヘッドに、前記したアナログ方式の回転ヘッドＨに取り付けたヘッドの数よりも多いヘッドを所定の角度間隔をもって取り付ける必要があるために（図１２）、全てのヘッド取付位置を、前記したＤ−ＦＦ信号（同期信号、スイッチングパルス）に同期するようには取り付けられない。このために、各ダビング記録モードにそれぞれ対応して選択使用される１組のヘッドを用いてのダビングの際には、Ｄ−ＦＦ信号に同期しないで、デジタルビデオ信号及びデジタルオーディオ信号が１フレーム単位で順次記録されてしまうことになる。つまり、Ｄ−ＦＦ信号に同期して交互に切換えられる１組のヘッドに同期して、この１組のヘッドにデジタルビデオ信号及びデジタルオーディオ信号が供給できない。
こうした状態でデジタルビデオ信号及びデジタルオーディオ信号をダビングしたスレーブテープは他のＶＴＲで再生できないという問題が発生する。
【００１０】
この問題を解消するためには、前述したアナログ方式のダビングシステムにおけるスレーブ記録機６１〜６ｎにそれぞれ搭載されている回転ヘッドＨの代わりに、デジタル方式対応の前記した構成の回転ヘッドを搭載したとしても、この再生不能を未然に防止することはできなかった。
【００１１】
そこで本発明は、マスタ側からスレーブ側へ送出される一連のストリームデータをスレーブ側に設けられてある複数のスレーブ記録機にそれぞれ分配し、前記複数のスレーブ記録機にそれぞれ分配されたストリームデータを記録媒体にダビングするダビングシステムであって、特に、複数の記録モードのうちの１の記録モードに応じて選択されている前記１組又は複数組のヘッドを構成する２つのヘッドのうちの少なくとも１つのヘッドに対して供給される前記ストリームデータを、当該ヘッドが回転ドラム上の特定位置を位相基準位置から離間した角度間隔分だけ遅延して、前記複数のスレーブ記録機側へ出力する遅延手段を備えたことにより、ダビングの際にいずれの記録モードに設定して、デジタルビデオ信号及びデジタルオーディオ信号をスレーブテープにダビングしたとしても、このスレーブテープを他のＶＴＲで再生した場合に、再生できないということはなく、常時良好な再生画像、再生音声を得ることができるストリームデータを作成するダビングシステムを提供することを目的とする。
【００１２】
【課題を解決するための手段】
上記した課題を解決するために、本発明は、下記する構成を有するダビング方法を提供する。即ち、
複数のスレーブ記録機のそれぞれに備えられており、回転ドラム上の特定位置を位相基準位置とした場合に、前記位相基準位置からそれぞれ所定の角度間隔離間しかつ互いに対向するように配置されてある２つのヘッドからなる１組のヘッドが複数組、前記回転ドラム上にそれぞれ配置されており、ダビングの際に指定されている記録モードに応じて前記複数組のうちの１組又は複数組のヘッドを選択して、この選択された前記１組又は複数組のヘッドを前記位相基準位置で交互に切換えることにより、マスターサーバから供給されるストリームデータを記録媒体にダビングする記録手段と、
前記複数のスレーブ記録機の前段に配置されており、前記記録モードに応じて選択されている前記１組又は複数組のヘッドに対して供給される前記ストリームデータを、当該ヘッドが前記位相基準位置から離間した角度間隔分だけ遅延して、前記複数のスレーブ記録機側へ出力する遅延手段とを備えたディストリビューションアンプとを有し、
前記ディストリビューションアンプから前記複数のスレーブ機に供給されるダビングデータはストリームデータ及びパリティデータから構成され、各前記スレーブ記録機にストリームデータの伝送状態をチェックする機能をそれぞれ有することを特徴とするデジタル方式のダビングシステム。
【００１３】
【発明の実施の態様】
以下、本発明の実施の態様につきその好ましい実施例であるＤ−ＶＨＳ方式のダビングシステムについて、図１〜図１３を用いて説明する。
図１は本発明のダビングシステムのブロック図、図２はＤＬＴ読込みフローチャート、図３はスクランブル解除の流れを示す図、図４はストリームデータのデータ構造を示す図、図５はストリームデータ伝送系のブロック図、図６はストリームデータ伝送に用いられる信号ケーブルの構造及び端子配線を示す図、図７はパリティデータの生成及び送信を示す図、図８は図７に示すパリティデータ生成のためのパリティ演算を示す波形図、図９はスレーブ記録機のブロック図、図１０は第１分配器のブロック図、図１１はメインデータDATA１，DATA2の初期位相を示す図、図１２はスレーブ記録機に搭載されている回転ヘッドのヘッド取付状態を示す図、図１３はダビング時に回転ヘッドに供給される記録データのタイミングを示す波形図である。
【００１４】
まず、図１〜図８を用いて、Ｄ−ＶＨＳ方式のデジタルダビングシステム全体の処理の流れを説明する。
Ｄ−ＶＨＳ方式のデジタルダビングシステムは、図１に示すように、DLT（Digital  linear  technologyの略。Digital  Equipment  Corporation社が開発したテープドライブの名称）２０、マスタサーバ（Master Server）２１、ホストパソコン（Host PC）２２、スレーブコントローラ（Slave Controller）２３、ライン（Line）２４、３１、スレーブ記録機（Slave）（１）〜（１７）２５０１〜２５１７、ディストリビューションアンプ（Distribution Amplifier）２６、モニタデコーダ（Monitor Decoder）２７、ＭＰＥＧデコーダ（MPEG Decoder）２８、モニタ（Monitor）２９を備えている。３０はDLTテープ（DLT tape）。
【００１５】
前記マスタサーバ２１は、図５に示すように、パソコン（PC）２１ａ、ハードディスクドライブ（HDD）２１ｂ、インターフェース（I/F）ボード２１ｃを有している。前記ディストリビューションアンプ２６は、図５に示すように、第１分配器２６ａ、第２分配器２６ｂ、基準信号発生器(SSG)２６ｃを有する。前記ホストパソコン２２は図示しないセレクタを有している。
【００１６】
次に、前記した構成を備えたデジタルダビングシステムのダビング動作について説明する。
（１）デジタルダビングの前処理
DLT２０を用いてダビングすべきストリームデータが記録されているDLTテープ３０を再生し、この再生したストリームデータをマスタサーバ２１に供給する。マスタサーバ２１は供給されたストリームデータをパソコン２１ａを介して、HDD２１ｂにファイル名を付して保存する。このデジタルダビングの前処理は以後のデジタルダビングの本処理に不可欠な処理である。
【００１７】
DLTテープ３０は、図１では１本だけ示してあるが、これを複数本用いても良く、複数本のDLTテープ３０を連続して使用することにより、大きな容量サイズのストリームデータを扱うことができる。ここでは複数本のDLTテープ３０を連続して使用する場合のデジタルダビングの前処理の手順を、図２〜図５を用いて具体的に説明する。
【００１８】
まず、DLTテープ３０をDLT２０にセットする。DLT２０からDLTテープ３０をセットした旨の信号をマスタサーバ２１に送信すると、マスタサーバ２１のパソコン２１ａはHDD２１ｂ内に、情報(Information)ファイル及びDLTテープ３０に記録されてあるストリームデータ保存用ファイルを作成する（ステップ▲１▼）。
【００１９】
次に、パソコン２１ａはDLT２０から情報データを読み取り、この情報を前記情報ファイルに保存する（ステップ▲２▼）。
【００２０】
次に、パソコン２１ａはDLT２０に対して、DLTテープ３０を再生する旨の信号を送信する。DLT２０にセットされているDLTテープ３０に保存されているストリームデータは、大きなデータ容量となるので、パソコン２１ａは単位バイト毎にDLT２０からの読取りと、前記ストリームデータ保存用ファイルへの保存動作を繰り返す（ステップ▲３▼）。
【００２１】
パソコン２１ａは、先に読み取った情報データに基づいて、読み取るべきストリームデータの容量サイズに達する前にEnd Of Tape（テープ終端検出情報）を検出した時には、前記ストリームデータ保存用ファイルへ未だ保存していないDLTテープ３０のストリームデータがあると判断し、次のDLTテープ３０に交換するように指示をし、次のDLTテープ３０に取り替えて、引き続きストリームデータの読み取りと保存とを繰り返し行う（ステップ▲４▼）。
【００２２】
パソコン２１ａは、先に読み取った情報データに基づいて、これから読み取るべきストリームデータの容量サイズと、前記ストリームデータ保存用ファイルに保存してあるストリームデータの容量サイズとを比較し、容量サイズ差の有無で全てのストリームデータの読み取りが完了したかどうかを判断する。パソコン２１ａは、これから読み取るべきストリームデータのサイズと既に保存されてあるストリームデータのサイズとが等しくなったことを検出すると、全ての読み取り完了と判断し、DLT２０からのストリームデータの読み込みを終了する（ステップ▲５▼）。
【００２３】
前記したDLTテープ３０に記録されているストリームデータには、不正コピーを防止するために、ストリームデータにスクランブルが施されている。パソコン２１ａは、DLTテープ３０のストリームデータをHDD２１ｂ内のストリームデータ保存用ファイルに保存する際（直前）に、このスクランブルを解除する処理を行う（図３）。
【００２４】
即ち、まずパソコン２１ａは、マスタサーバ２１がもつ固有の識別データを用いて前記したスクランブル解除のもとになるキーデータを作成する。次にこうして作成したキーデータを所定の演算処理を行い、スクランブル解除の初期値を生成する。次に図４に示すトラックの特定の位置（図４）にかけられているスクランブルをこの初期値を用いて解除し、もとのストリームデータに戻す。
【００２５】
このストリームデータのデータ構造は、図４に示すように、その先頭からマージン(margin)、プリアンブル(preamble)、サブコード(subcode)、ポストアンブル(postamble)、Ｉ．Ｂ．Ｇ(Inter  Block  Gap)、プリアンブル、メインコード(main code)、ポストアンブル、マージンから成る。一連のストリームデータはこのデータ構造が順次連続してなるものである。
こうして、ダビングするべきストリームデータは全て、マスタサーバ２１内に格納される。
【００２６】
（２）デジタルダビングの本処理
前記した（１）デジタルダビングの前処理が終了すると、デジタルダビングの本処理が開始される。ここでは本処理として、デジタルダビングの開始から終了までの一連の処理動作を、図１に沿って順次説明することにする。図１中、ストリームデータ(Stream Signal)の流れは破線で示し、またダビングに要する制御信号(Control Signal)の流れは実線で示す。
【００２７】
ダビングの開始は次のようにして行われる。まず、ホストパソコン２２のセレクタを操作して、ダビングデータを選択し、マスタサーバ２１とライン２４とを選択してからスタートボタンを押して（いずれも図示せず）、ホストパソコン２２がマスタサーバ２１に対して、スタート確認コマンドを送信することによって開始される。
【００２８】
マスタサーバ２１は前記スタート確認コマンドを受信すると、ホストパソコン２２に対して、選択されたダビングデータ（ストリームデータ）のタイトル番号、タイトル名、トラックサイズ（データ記録容量）等の情報データを前記した情報ファイルから読み出して、返信する。この返信情報データはマスタサーバ２１とホストパソコン２２との各モニタ画面に表示される。
【００２９】
次に、ホストパソコン２２はスレーブコントローラ２３に対して、ダビングスタートコマンドを送信する。スレーブコントローラ２３は前記ダビングスタートコマンドを受信すると、ホストパソコン２２に対して、前記ダビングスタートコマンドを受信したことを示すコマンド受信確認の返信をする。
【００３０】
ホストパソコン２２は、このコマンド受信確認を受信すると、マスタサーバ２１に対してストリームデータ出力コマンドを送信する。マスタサーバ２１はこのストリームデータ出力コマンドを受信すると、マスタサーバ２１は前記したストリームデータ保存用ファイルとして保存してあるストリームデータのうちの指定されたストリームデータを、ディストリビューションアンプ２６に対して出力する。
【００３１】
ディストリビューションアンプ２６はマスタサーバ２１から供給されたストリームデータを所定量遅延した後に、ライン２４を介して、多数のスレーブ記録機２５０１〜２５１７へそれぞれ分配する。
【００３２】
こうして、多数のスレーブ記録機２５０１〜２５１７は、ディストリビューションアンプ２６側から供給されたストリームデータをそれぞれデジタルダビングする。ここではスレーブ記録機（１）２５０１〜スレーブ記録機２５１７（１７）の合計１７台が示されているが、この台数は必要に応じて増減可能なことは言うまでもない。
【００３３】
前記したように多数のスレーブ記録機２５０１〜２５１７にてデジタルダビング実行期間中は、マスタサーバ２１からホストパソコン２２へ、ダビングの進行状況とアラーム（警告）とに関する各情報が連続あるいは間欠して送信される。ホストパソコン２２はこのダビングの進行状況に関する情報を受信するとダビングの進行状況をモニタ画面に表示する。また、ホストパソコン２２はアラームに関する情報を受信した場合には、アラーム発生時刻を表示する。
【００３４】
また、このデジタルダビング中は、ホストパソコン２２からスレーブコントローラ２３に対してステータスリクエストコマンドが送信され続ける。スレーブコントローラ２３はこのステータスリクエストコマンドを受信すると、ライン３１を介して多数のスレーブ記録機２５０１〜２５１７側から得たそれぞれのステータス情報をホストパソコン２２へ返信する。ホストパソコン２２は受信した前記ステータス情報をモニタ画面に逐次表示する。
【００３５】
マスタサーバ２１からのストリームデータの出力が終了すると、マスタサーバ２１からホストパソコン２２に対して終了コマンドが送信される。ホストパソコン２２はこの終了コマンドを受信すると、スレーブコントローラ２３に対してストップコマンドを送信する。スレーブコントローラ２３はこのストップコマンドを受信すると、ライン３１を介して多数のスレーブ記録機２５０１〜２５１７に対して、記録ストップコマンドとカセット排出コマンドをそれぞれ送信する。これに応じて、多数のスレーブ記録機２５０１〜２５１７はそれぞれに装填されているスレーブテープカセットを排出する。
こうして、一連のデジタルダビングの本処理が終了する。
【００３６】
この一連のデジタルダビング本処理が終了すると、ホストパソコン２２は、ダビング開始時間、終了時間、各種の情報などを内蔵の所定のファイルに保存する。このファイルをもとにダビング実績を後で参照することができる。
【００３７】
次に、前述したデジタルダビングシステムにおけるストリームデータの流れ（図１に破線で図示）を、図５〜図１３を用いて、更に具体的に説明する。前述したものと同一構成部分には同一符号を付し、その説明を省略する。
【００３８】
まず、マスタサーバ２１は、図５に示すように、DLT２０にセットされて再生状態のDLTテープ３０から読み出したストリームデータを、パソコン２１ａを介して、ＨＤＤ２１ｂ内の前記したストリームデータ保存用ファイルに蓄える。
【００３９】
次に、マスタサーバ２１は、多数のスレーブ記録機２５０１〜２５１７でそれぞれ行われるデジタルダビングの記録タイミング及びＤ−ＶＨＳ方式のフォーマットに適合するように、前記したストリームデータ保存用ファイルから適宜のタイミングで読み出したストリームデータ(DATA１，DATA2)を、パソコン２１ａを介して、Ｉ／Ｆボード２１ｃから、ディストリビューションアンプ２６側へデータSig.Ａとして出力する。
【００４０】
具体的には、パソコン２１ａからＩ／Ｆボード２１ｃに供給されたストリームデータ(DATA１，DATA2)は、システム内で生成されたクロック(CLOCK)に同期して、このクロックと共に出力される。また、このストリームデータの伝送状態をチェックするために用いられるパリティデータ(PARITY)は、Ｉ／Ｆボード２１ｃで生成され、これまたクロックに同期して出力される。
【００４１】
前記したマスタサーバ２１のＩ／Ｆボード２１ｃは、ストリームデータ(DATA１，DATA2)とパリティデータ(PARITY)とクロック(CLOCK)とからなるデータSig.Ａを、ディストリビューションアンプ２６に出力する。
【００４２】
さて、前述したデジタルダビングシステムにおけるストリームデータの流れ（図１に破線で図示）に沿って使用される信号ケーブルは、図６中上から下に向かって順次、各種の信号を伝送する複数の信号線を有する。
▲１▼クロック信号線(CLK=CLK(+), CLK(-))：前記したクロック(CLOCK)を伝送
▲２▼グランド線(SIGNAL GND)
▲３▼ダビングデータ信号線(DATA１=DATA１(+)，DATA１(-)， DATA2=DATA2(+)，DATA2(-))：前記したストリームデータ(DATA１，DATA2)を伝送
▲４▼パリティデータ信号線(PARITY=PARITY(+), PARITY(-))：前記したパリティデータ(PARITY)を伝送
▲５▼同期信号線(SYNC=SYNC(+), SYNC(-))：同期信号(SYNC)を伝送
▲６▼フレーム識別データ信号線(SFG=SFG(+), SFG(-))：画像フレーム周波数（３０Ｈｚ，２９．９７Ｈｚ）識別データを伝送
▲７▼記録モード識別データ信号線(HS=HS(+), HS(-))：ダビング記録モード(標準(STD）モード、高画質(HS）モード)識別データを伝送
▲８▼外部データ信号線(EXT１=EXT１(+)，EXT１(-)，EXT2=EXT2(+)，EXT2(-)：その他の外部データを伝送
【００４３】
ここで、前記同期信号(SYNC)は、デジタルダビングシステム内部で生成した内部同期信号又はこのデジタルダビングシステム外部から外部同期信号（図５に示す基準信号発生器２６ｃが発生した基準信号に基づいて生成した同期信号）として供給されるものであっても良い。こうした同期信号によって、デジタルダビングシステムは内部同期又は外部同期が可能となる。また、前記したデジタルデータSig.Ａとして最低限必要な信号である、ストリームデータ(DATA１，DATA2)と同期データとの並列出力データをメインデータと呼ぶ。
【００４４】
さて、図５に戻って、マスタサーバ２１から出力されたデータSig.Ａは第１分配器２６ａに供給され、ここからの一方の出力としてデータSig.Ａがモニタデコーダ２７にスルー出力される。また他方の出力としてデータSig.Ｂが第２分配器２６ｂに出力される。
【００４５】
このデータSig.Ｂは、前記データSig.Ａを構成するストリームデータ(DATA１，DATA2)を後述するように所定時間遅延すると共に、伝送信号チェック用のパリティデータもこれに応じて後述するように変更してなるデータである。
【００４６】
前記した第１分配器２６ａは基準信号発生器２６ｃから供給された基準信号に基づいて同期信号(SYNC)を生成出力する。また第１分配器２６ａはマスタサーバ２１に対してこの同期信号を生成出力する機能も持つ。基準信号発生器２６ｃは新たなクロック及び新たな同期信号を生成する。
【００４７】
前記した第２分配器２６ｂは多数のスレーブ記録機２５０１〜２５１７に対して、データSig.Ｂの分配をそれぞれ行う。第２分配器２６ｂは第１分配器２６ａから供給されるデータSig.Ｂを構成するパリティデータのパリティチェックを行った後に、前記した信号ケーブル（図６）を用いたライン２４を介してスレーブ記録機２５０１〜２５１７にデータSig.Ｂを出力する。
【００４８】
次に、前記した多数のスレーブ記録機２５０１〜２５１７の構成について説明する。スレーブ記録機２５０１〜２５１７の構成は全て同一であるから、ここでは説明の都合上、スレーブ記録機（１）２５０１についてだけ説明する。
スレーブ記録機２５０１は、図９に示すように、ダビングに必要な最低限の機能だけを備えたレコーダであり、主要部(MAIN)２５ａ、中間部２５ｂ、記録部(PRE/REC)２５ｃ、サーボ部(SERVO)２５ｄ、回転ヘッド２５ｅ，２５ｆ、コントロールヘッド２５ｇを備えている。前記主要部２５ａは分配器２５ａ１，２５ａ２を有する。
【００４９】
前記主要部２５ａには、前記した信号ケーブルとは別のケーブルを用いたライン３１を介して、スレーブコントローラ２３から、シリアル制御信号（Serial  ＣＴＬ）が供給される。一方、主要部２５ａはライン３１を介して、ワーニング信号(Warning A〜C)をスレーブコントローラ２３に対して出力する。また、主要部２５ａにはライン２４を介して、ディストリビューションアンプ２６から前記ストリームデータ(DATA１，DATA2) 、ダビング記録モード識別データ(HS/STD)、画像フレーム周波数識別データ(SFG)が供給される。
【００５０】
前記した回転ヘッド２５ｅ，２５ｆは、チャンネルＣｈ１，Ｃｈ２対応の概略ＶＨＳ対応の回転ヘッドと同様なものであり（図１２）、その回転数はＤ−ＶＨＳの記録モードであるHS／STD両記録モードの６０Ｈｚ／５９．９４Ｈｚ（ＰＡＬ／ＮＴＳＣ）両方に対応している。
【００５１】
また、スレーブ記録機２５０１は、パリティチェック機能など自己診断機能を搭載し、ワーニング信号を３ユニット個別に出力することで、システム制御系（スレーブコントローラ２３）でユニット単位の稼働状況の把握を可能としている。このスレーブ記録機２５０１により、前記ストリームデータ(DATA１，DATA2)がそれぞれ分配された個々のデータストリームが、図示しない複数の磁気テープに記録される。
【００５２】
次に、前記した第１分配器２６ａの信号系の流れを図７、図８、図１０〜図１３を用いて更に詳細に説明する。
第１分配器２６ａは、図１０に示すように、レシーバ(I/F Receiver)２６ａ１、ドライバ(I/F Driver)２６ａ２、セレクタ回路(Select)２６ａ３、パリティチェック回路(Parity Check)２６ａ４、メモリ(Memory)２６ａ５、メモリ制御回路(Memory control)２６ａ６、パリティ回路(Parity )２６ａ７、出力回路(I/F Driver)２６ａ８、同期分離回路(Sync. Sepa.)２６ａ９、ＰＬＬブロック２６ａ１０、クロック同期生成回路(Clk,Sync生成)２６ａ１１、出力回路(I/F Driver)２６ａ１２を備えている。前記フェーズロックループ(PLL)２６ａ１０は位相検出回路(φDET)２６ａ１０ａ、ローパスフィルタ(LPF) ２６ａ１０ｂ、ＶＣＯ２６ａ１０ｃ、カウンタ(Counter) ２６ａ１０ｄからなる。
【００５３】
前記したマスタサーバ２１側から供給されるデータSig.Ａはレシーバ２６ａ１により受信され、受信したデータSig.Ａはドライバ２６ａ２、セレクタ２６ａ３、パリティチェック回路２６ａ４にそれぞれ供給される。前記したドライバ２６ａ２は、レシーバ２６ａ１から供給されるデータSig.Ａをスルーでモニタデコーダ２７へ出力する。このメインデータの位相の関係を図１１に示す。
【００５４】
前記同期信号(SYNC)はHS／STD両記録モードに応じて、３０Ｈｚまたは２９．９７Ｈｚの周波数とし、簡単のためデューティ比を１：１としている。前記同期信号はＶＴＲの回転ドラム上に取り付けられた１対のヘッドを同一タイミングで交互に切換えるためのいわゆるスイッチングバルスと同一である。
【００５５】
前記ストリームデータ(DATA１，DATA2)については、１つのデータ(DATA１)だけ使用する標準モード(STD MODE）と、２つのデータ(DATA１， DATA2)を使用する高画質モード(HS MODE）との２種類の記録モードがある。どちらの記録モードであっても、図１１に示すように、前記同期信号の立ち上がり（Ｌ→Ｈのレベル変化）から立ち下がり（Ｈ→Ｌのレベル変化）のｔ１期間、DATA１，DATA2のフィールド１のダビングデータが出力される。また、前記同期信号の立ち下がり（Ｈ→Ｌのレベル変化）から立ち上がり（Ｌ→Ｈのレベル変化）のｔ２期間、DATA１，DATA2のフィールド２のダビングデータが出力される。この状態が交互に繰り返される。
【００５６】
パリティチェック回路２６ａ４では、前記ストリームデータ(DATA１，DATA2)と一緒に送られるパリティデータ(PARITY)から、データエラーを検出し、伝送系のチェックを行う。セレクタ回路２６ａ３は、データSig.Ａのクロック及び前記同期信号と、基準信号発生器２６ｃから生成したクロック及び前記同期信号とを選択して切り換える機能を持っている。セレクタ回路２６ａ３は、マスタサーバ２１がダウンした時でも、基準信号発生器２６ｃ側に切換えることによって、基準信号発生器２６ｃから出力されるクロック及び同期信号がダウンしないで出力されればスレーブ等の動作チェックを可能とするために設けてある。
【００５７】
この後、セレクタ回路２６ａ３から選択出力されたクロック及び同期信号を含むデータSig.Ａは、メモリ回路２６ａ５、メモリ制御回路２６ａ６にそれぞれ供給される。メモリ制御回路２６ａ６はセレクタ回路２６ａ３から供給されるHS／STD記録モード識別データに基づいて、セレクタ回路２６ａ３から供給されるストリームデータ(DATA１，DATA2)を、前記同期信号の立ち上がり時点から所定量（所定時間）遅延するための下記する遅延条件を設定した遅延制御信号をメモリ２６ａ５に生成出力する。メモリ２６ａ５はメモリ制御回路２６ａ６から供給される遅延制御信号により、セレクタ回路２６ａ３から供給されるストリームデータ(DATA１，DATA2)の書込みタイミングあるいはメモリされているストリームデータ(DATA１，DATA2)の読出しタイミングを制御する。具体的にはこの制御は、メモリ２６ａ５から出力されるストリームデータ(DATA１，DATA2)が、前記同期信号の立ち上がり時点（位相基準、図１２）からの所定の位相遅れに応じた所定の位相をもって出力するように、ビットクロック単位で遅延される。この遅延量は前記したスレーブ記録機２５０１〜２５１７の回転ドラムｄ上におけるヘッドの取り付け角度により設定される。
【００５８】
前記した遅延条件は、次の通りである。
即ち、標準モード、高画質モード（STD／HS記録モード）に応じて選択されている１組又は複数組のヘッドを構成する２つのヘッドのうちの少なくとも１つのヘッド（標準モードのときは１対のヘッドSD1,SD2のうちのヘッドSD1及び／又はヘッドSD2（即ち、ヘッドSD1だけ、ヘッドSD2だけ、ヘッドSD1及びヘッドSD2の両方）。高画質モードのときは1対のヘッドHS1-1,HS1-2のうちのヘヘッドHS1-1及び／又はヘッドHS1-2（即ち、ヘッドHS1-1だけ、ヘッドHS1-2だけ、ヘッドHS1-1及びヘッドHS1-2の両方）、1対のヘッドHS2-1,HS2-2のうちのヘッドHS2-1及び／又はヘッドHS2-2（即ち、ヘッドHS2-1だけ、ヘッドHS2-2だけ、ヘッドHS2-1及びヘッドHS2-2の両方））に対して供給されるストリームデータ(少なくともDATA１，DATA2)を、選択されている当該ヘッドが位相基準位置（図１２）から離間した角度間隔分だけ遅延（角度φ１、φ２、φ３に対する各遅延量ＤＬＹ１、ＤＬＹ２、ＤＬＹ３をもって遅延）するものである。
【００５９】
このヘッドの取り付け位置は、図１２に示してある。
具体的には、回転ドラムｄ上の特定位置を位相基準位置（位相基準、図１２）とした場合に、前記位相基準位置からそれぞれ所定の角度φ１，φ２，φ３間隔で離間しかつ互いに対向するように配置されてある２つのヘッドからなる１組のヘッドが複数組（１対のヘッドSD1,SD2、1対のヘッドHS1-1,HS1-2、1対のヘッドHS2-1,HS2-2）、前記回転ドラムｄ上にそれぞれ配置されており、ダビングの際に指定されている記録モード（標準モード(STD MODE）、高画質モード(HS MODE））に応じて前記複数組のうちの１組又は複数組のヘッドを選択して（標準モードのときは１対のヘッドSD1,SD2を用いてデータDATA１を記録。高画質モードではデータDATA１を1対のヘッドHS1-1,HS1-2で記録すると共に、データDATA2を1対のヘッドHS2-1,HS2-2で記録。）、この選択されたヘッドを用いて前記ストリームデータを記録媒体（スレーブテープ）にダビングする回転ヘッドＨである。
【００６０】
図１３には、前記した遅延条件によって遅延されたメモリ回路２６ａ５から出力する遅延されたデータ(DATA１，DATA2)、の位相のタイミング図を示す。
標準モード(STD MODE）の場合、ダビングデータ(DATA１)の各フィールド１．２の開始位置と各ヘッドSD1,SD2の切換タイミング位置を合わせるために、各ヘッドSD1,SD2の取り付け角度φ１に対応してダビングデータ(DATA１)を遅延量ＤＬＹ１遅延しなければならない。
【００６１】
高画質モード(HS MODE）の場合、ダビングデータ(DATA１)の各フィールド１．２の開始位置と各ヘッドHS1-1,HS1-2の切換タイミング位置を合わせるために、各ヘッドHS1-1,HS1-2の取り付け角度φ２に対応してダビングデータ(DATA１)を遅延量ＤＬＹ２遅延し、またダビングデータ(DATA２)の各フィールド１．２の開始位置と各ヘッドHS2-1,HS2-2の切換タイミング位置を合わせるために、各ヘッドHS2-1,HS2-2の取り付け角度φ３に対応してダビングデータ(DATA２)を遅延量ＤＬＹ３遅延しなければならない。
【００６２】
この実施例では、記録モードは、標準モード(STD MODE）、高画質モード(HS MODE）の２種類のモードが切り換えられる方式とし、標準モードではストリームデータ(DATA１)を１対のヘッドSD1,SD2で記録、高画質モード(HS MODE）ではストリームデータ(DATA１)を1対のヘッドHS1-1,HS1-2で記録すると共に、ストリームデータ(DATA2)を1対のヘッドHS2-1,HS2-2で記録するものとしている。
【００６３】
前記した標準モード記録用の１対のヘッドSD1,SD2と、高画質モード記録用の1対のヘッドHS1-1,HS1-2と1対のヘッドHS2-1,HS2-2とは、図１２に示すように、基準位置（位相基準）からそれぞれのＣＨ１ヘッドまでの右回りの角度をφ１、φ２、φ３とする位置に設けられている。
【００６４】
具体的には、ヘッドSD1は前記位相基準から角度φ１離間した位置に取り付けられており、またヘッドSD2はヘッドSD1の位置からπ（１８０度）離間した位置に取り付けられてある。ヘッドHS1-1は前記位相基準から角度φ２離間した位置に取り付けられており、またヘッドHS1-2の位置はヘッドHS1-1の位置から１８０度離間した取付位置にある。ヘッドHS2-1は前記位相基準から角度φ３離間した位置に取り付けられており、またヘッドHS2-2の位置はヘッドHS2-1の位置から１８０度離間した取付位置にある。なお、図１２ではこれ以外に、長時間／標準記録用の１対のヘッドEP2/SP1，EP1/SP2のうちの、ヘッドEP2/SP1が前記位相基準の位置に取り付けられ、またヘッドEP1/SP2はヘッドEP2/SP1の位置から１８０度離間した取付位置にある。
【００６５】
この時、フレーム周波数を３０Ｈｚとすると、前記位相基準から前記角度φｎ（ｎは正数）だけ離間した前記ヘッドに供給する記録データ（ダビングデータ）の遅延量は次式で与えられる。
遅延量（ｓｅｃ）＝（φｎ／２π）・（１／３０）
【００６６】
この式から、角度φ１、φ２、φ３に対する遅延量を求め、各遅延量ＤＬＹ１、ＤＬＹ２、ＤＬＹ３とすると、前記同期信号との位相関係は、図１３に示すようになる。このダビングシステムで記録する信号はデジタルデータであるので、メモリ回路２６ａ５によりビットクロック単位で遅延量を設定することができ、この遅延量の精度が高く変更も容易である。また、フレーム周波数は３０Ｈｚと２９．９４Ｈｚなど変わる可能性があるが、それぞれに対し遅延量ＤＬＹ１、ＤＬＹ２、ＤＬＹ３を設定しておき、そのモードを判別して遅延量を切り換えられる様にしている。
【００６７】
この遅延量の調整はシステム系統の他ブロックでも行うことができるが、精度を出し、他ブロックの回路構成を簡単にするため、本システムでは第１分配器２６ａのメモリ２６ａ５を使い、この大きな遅延量の調整を行うようにしている。この方式によれば１カ所で遅延量の管理ができ、他ブロックの回路構成をシンプル化することができる。例えば、後段のスレーブ記録機２５０１〜２５１７に遅延機能を持たせると、数が多くコストアップになってしまう。また、マスタサーバ２１側に遅延量を持たせることも考えられるが、モニター系（モニタデコーダ２７）に逆の遅延量を持たせる必要があり、１カ所で遅延量を管理することができない。
【００６８】
また、出力された遅延データとパリティデータなどの他の必要データは具体的には、メモリ２６ａ５からパリティ回路２６ａ７に供給されたストリームデータ(DATA１，DATA2)は、図７、図８に示すように、パリティ回路２６ａ７を構成する演算回路２６ａ７１、カウンタ２６ａ７２と、ドライバ２６ａ８とを順次介し、かつシステム内で生成されたクロック(CLOCK)に同期して、このクロックと共に出力される。また、このストリームデータの伝送状態をチェックするために用いられるパリティデータ(PARITY)は、メモリ２６ａ５で遅延されたストリームデータの演算によって演算回路２６ａ７１にて新たに生成され、これまたクロックに同期して出力される。
【００６９】
また、遅延されたストリームデータ(DATA１，DATA2)と新たに生成されたパリティデータ(PARITY)とクロック(CLOCK)とからなるデータSig.Ｂは、ドライバ２６ａ８から第２分配器２６ｂに出力される。基準信号発生器(SSG)２６ｃから供給された同期信号は、同期分離回路２６ａ９に供給され、同期分離が行われ、必要なタイミング信号が生成される。ＰＬＬブロック２６ａ１０ではタイミング信号に同期し、システムに必要な周波数のクロックを生成する。
システムで使用するクロック、同期信号は決められた仕様でドライバ回路２６ａ１２により出力される。
【００７０】
このように、本発明はマスターテープに記録されたデジタルデータを基準信号に対してスレーブ記録のヘッドの位相分ディレイさせる手段と、前記ディレイさせたデジタルデータを複数に分配する手段と、前記分配デジタルデータをスレーブ記録ヘッドを用いて記録し複数のスレーブテープを作成する手段を有することを特徴とするダビング方法である。
【００７１】
また、前記した構成に加えて、本発明は前記ディレイさせたデジタルデータからの演算によりパリティ１を生成する手段を有し、デジタルデータの分配時または／およびスレーブ記録時に、パリティ１によりデジタルデータのエラーをチェックする機能を有することを特徴とするダビング方法である。
【００７２】
さらに、前記した構成に加えて、本発明はパソコンにより生成したパリティ２により前記デジタルデータのエラーをチェックする機能を有し、その後モニターに出力する手段を有することを特徴とするダビング方法である。
さらにまた、前記した構成に加えて、本発明は前記デジタルデータをディスク記録媒体に記録する手段と、ディスク記録媒体から出力する手段を有することを特徴とするダビング方法である。また、前記した構成に加えて、本発明は暗号化されたマスターテープのデジタルデータを解読する手段を有するダビング方法である。
【００７３】
【発明の効果】
以上詳述したように本発明によれば、マスターテープに記録されたデジタルデータを基準信号に対してスレーブ記録機の回転ヘッドの位相分遅延させることで、スレーブ記録機の記録ヘッド構造により生じる位相差を補い、基準信号に同期して切換えられる１対のヘッドを用いて、正常にスレーブ記録することが可能である。また、ダビングすべきデジタルデータを演算してパリティ１を生成し、このバリティ１を用いて伝送中のデジタルデータのエラーをチェックできるので、従来のダビングシステムに比べ、伝送信号チェックシステムを簡素化でき、効率的なエラー検出が可能である。さらに、パソコンによりパリティ２を生成し、これによりデジタルデータのエラーをチェックし、その後モニターにチェック結果を出力することで、従来のダビングシステムに比べ、伝送信号チェックシステムを簡素化でき、効率的なエラー検出が可能である。さらにまた、マスタ側からスレーブ側へ伝送するデジタルデータをマスタ側のハードディスクに一旦保存してからこれを読み出すことで、マスタテープの多数回の再生によるデータダメージを防止できる。さらにまた、暗号化されたマスタテープのデジタルデータを解読することで、ダビング可能な装置を限定でき、不正コピーを未然に防止できる。
【図面の簡単な説明】
【図１】本発明のダビングシステムのブロック図。
【図２】ＤＬＴ読込みフローチャート。
【図３】スクランブル解除の流れを示す図。
【図４】ストリームデータのデータ構造を示す図。
【図５】ストリームデータ伝送系のブロック図。
【図６】ストリームデータ伝送に用いられる信号ケーブルの構造及び端子配線を示す図。
【図７】パリティデータの生成及び送信を示す図。
【図８】図７に示すパリティデータ生成のためのパリティ演算を示す波形図。
【図９】スレーブ記録機のブロック図。
【図１０】第１分配器のブロック図。
【図１１】メインデータDATA１，DATA2の初期位相を示す図。
【図１２】スレーブ記録機に搭載されている回転ヘッドのヘッド取付状態を示す図。
【図１３】ダビング時に回転ヘッドに供給される記録データのタイミングチャート。
【図１４】従来のダビングシステムのブロック図。
【図１５】スレーブ記録機に搭載されている回転ヘッドのヘッド取付状態を示す図。
【図１６】ダビング時に回転ヘッドに供給される記録信号のタイミングチャート。
【符号の簡単な説明】
２０  ＤＬＴ
２１  マスタサーバ
２６ａ５  メモリ
２６ａ６  メモリ制御回路
６１〜６ｎ，２５０１〜２５１７  スレーブ記録機
ｄ  回転ドラム
DATA１，DATA2  データ
ＤＬＹ１、ＤＬＹ２、ＤＬＹ３  遅延量
Ｈ  回転ヘッド（記録手段）
HS1-1,HS1-2、HS2-1,HS2-2、SD1,SD2  ヘッド
φ１，φ２，φ３  角度
【図１】
0003804856.tif 000002
【図２】
0003804856.tif 000003
【図３】
0003804856.tif 000004
【図４】
0003804856.tif 000005
【図５】
0003804856.tif 000006
【図６】
0003804856.tif 000007
【図７】
0003804856.tif 000008
【図８】
0003804856.tif 000009
【図９】
0003804856.tif 000010
【図１０】
0003804856.tif 000011
【図１１】
0003804856.tif 000012
【図１２】
0003804856.tif 000013
【図１３】
0003804856.tif 000014
【図１４】
0003804856.tif 000015
【図１５】
0003804856.tif 000016
【図１６】
0003804856.tif 000017